(57)【要約】【課題】衝撃吸収化粧材Ａに人の転倒や衝突等によって衝撃が加わってもそれを吸収し、人体が大きな衝撃力を受けるのを緩和できるようにする。【解決手段】衝撃吸収化粧材Ａは、裏面に互いに平行に延びる複数の切欠き凹溝５，５，…が形成された基材層１と、この基材層１の表面に設けられた表面仕上げ層７と、基材層１の裏面に設けられた撓み抑制層１０と、この撓み抑制層１０の裏面に設けられ、空隙部１４，１４，…を有する衝撃吸収層１２とを備えているものとする。【選択図】図１
2016160590.tif 000002
【特許請求の範囲】
【請求項１】
建物の内部に施工される衝撃吸収化粧材であって、
撓み変形可能な基材層と、
上記基材層の表面に設けられた表面仕上げ層と、
上記基材層の裏面に設けられた撓み抑制層と、
上記撓み抑制層の裏面に設けられた衝撃吸収層とを備えていることを特徴とする衝撃吸収化粧材。
【請求項２】
建物の内部に施工される衝撃吸収化粧材であって、
裏面に互いに平行に延びる複数の切欠き凹溝が形成された基材層と、
上記基材層の表面に設けられた表面仕上げ層と、
上記基材層の裏面に設けられた撓み抑制層と、
上記撓み抑制層の裏面に設けられた衝撃吸収層とを備えていることを特徴とする衝撃吸収化粧材。
【請求項３】
請求項１又は２において、
衝撃吸収層は、空隙部を有することを特徴とする衝撃吸収化粧材。
【請求項４】
請求項１又は２において、
衝撃吸収層は、空隙部を形成可能でかつ該空隙部の占有割合である空隙率が変更可能な衝撃吸収材からなることを特徴とする衝撃吸収化粧材。
【請求項５】
表裏面に沿って互いに直交するｘ方向及びｙ方向が設定された発泡材からなる板材に、該板材を表裏面間で貫通する複数の独立した第１及び第２スリットが形成され、
上記第１及び第２スリットは、ｘ方向に延びる基部と、該基部の両端から傾斜して延びる１対の傾斜部とを有する亀甲括弧形状に形成され、
複数の第１スリットは、基部がｘ方向に沿って延びかつ隣接する１対の第１スリットの傾斜部の先端部間に間隔が空けられた状態でｘ方向に直列に並べられている一方、
複数の第２スリットは、基部がｘ方向に沿って延びかつ隣接する１対の第２スリットの傾斜部の先端部間に間隔が空けられた状態でｘ方向に直列に並べられ、
上記第１スリットと第２スリットとは、隣接する１対の第１スリットの傾斜部の先端部間に第２スリットの基部が位置するように互いに逆向きに配置されてｙ方向に交互に並んでおり、
第１及び第２スリットの両傾斜部の先端部には、相対するスリットの基部に向かってｙ方向に延びかつ板材を表裏面間で貫通する第３スリットが傾斜部の先端部に連続して形成されており、
板材がｙ方向に引っ張られたときに、該板材において、ｙ方向に対向する第１及び第２スリットの基部の一部、傾斜部及び第３スリットで囲まれる部分がアーム部となり、かつ第３スリットと基部との間の部分が該アーム部両端の軸部となって、該アーム部が軸部回りに板材の表裏面に沿う方向に思案点を超えて回動することで、各スリットがｙ方向に開いて空隙部となるように構成されていることを特徴とする衝撃吸収材。
【請求項６】
請求項４において、
衝撃吸収層は、請求項５の衝撃吸収材からなることを特徴とする衝撃吸収化粧材。
【請求項７】
請求項１〜４及び６のいずれか１つにおいて、
衝撃吸収層の裏面に裏打ち層が形成されていることを特徴とする衝撃吸収化粧材。
【請求項８】
請求項１〜４、６及び７のいずれか１つの衝撃吸収化粧材からなることを特徴とする床材。
【請求項９】
請求項１〜４、６及び７のいずれか１つの衝撃吸収化粧材からなることを特徴とする壁材。
【発明の詳細な説明】
【技術分野】
【０００１】
本発明は、衝撃吸収材、衝撃吸収化粧材、床材及び壁材に関するものである。
【背景技術】
【０００２】
従来、建物における木質床材の防音性や遮音性を高めて階下への音の伝播を低減するために、木質床材の裏面に緩衝材や制振材を設けることは既に行われており、その緩衝材等に空隙部を形成して遮音性能を向上させることも一般的に行われている。
【０００３】
例えば特許文献１に示されるように、床板の裏面に弾性緩衝材層を一体に設け、床板の裏面には空気通路としての複数の切欠き凹溝を形成し、弾性緩衝材層には切欠き凹溝に連通する複数の貫通孔を均一に分散して形成することにより、床板上を人が歩行する際の衝撃音（歩行する人の足が床材に当たるときの音）を低減させるようにすることが提案されている。
【先行技術文献】
【特許文献】
【０００４】
【特許文献１】特公平６−３５７５５号公報
【発明の概要】
【発明が解決しようとする課題】
【０００５】
ところで、上記特許文献１のものは、歩行時の衝撃音を低減させるように意図されたものであり、人が滑ったり躓いたりして転倒したときに人体に加わる衝撃力を低減させるようには意図されておらず、その転倒時の衝撃力の低減が困難である。
【０００６】
すなわち、近年、マンションや学校、幼稚園、老人ホーム等に施工される木質床材においても、人が歩行時等で転倒したときに人体が受ける衝撃力、特に頭部への衝撃力を効果的に吸収して緩和することが要求されている。例えばＪＩＳ Ａ ６５１９において、一般体育館用の床の硬さは、衝突時に人体が受ける最大加速度（Ｇ値）が１００以下であることが望ましいとされており、このような要求を引用文献１のものでは満たすことが難しい。
【０００７】
本発明は斯かる点に鑑みてなされたもので、その目的は、衝撃吸収建材の構成に工夫を加えることにより、施工時にその建材に人の転倒や衝突等によって衝撃が加わってもそれを吸収し、人体に対しては大きな衝撃力が加わるのを緩和できるようにすることにある。
【課題を解決するための手段】
【０００８】
上記の目的を達成すべく、この発明では、表面に表面仕上げ層（化粧層）を有する撓み変形可能な基材層の裏面に撓み抑制層を介して衝撃吸収層を設け、化粧材が過度に変形するのを撓み抑制層によって抑制するようにした。
【０００９】
具体的には、第１の発明は、建物の内部に施工される衝撃吸収化粧材であって、撓み変形可能な基材層と、この基材層の表面に設けられた表面仕上げ層と、基材層の裏面に設けられた撓み抑制層と、この撓み抑制層の裏面に設けられた衝撃吸収層とを備えていることを特徴とする。
【００１０】
また、第２の発明は、建物の内部に施工される衝撃吸収化粧材であって、裏面に互いに平行に延びる複数の切欠き凹溝が形成された基材層と、この基材層の表面に設けられた表面仕上げ層と、基材層の裏面に設けられた撓み抑制層と、この撓み抑制層の裏面に設けられた衝撃吸収層とを備えていることを特徴とする。
【００１１】
この第１又は第２の発明では、衝撃吸収化粧材に対し表面仕上げ層から例えば人の転倒（床材の場合）や衝突等の大きな衝撃が加わると、基材層が第１の発明にあっては基材層の可撓性により、また第２の発明にあっては基材層裏面の切欠き凹溝によってそれぞれ撓むように変形する。このとき、衝撃吸収化粧材の基材層と衝撃吸収層との間に撓み抑制層が設けられているので、上記のような大きな衝撃が加わって基材層が撓むように変形したとしても、その変形が過度になって下地にまで達する底打ちするようなことは撓み抑制層により抑制される。このことにより、人体が大きな衝撃力を受けることを効果的に抑制することができる。
【００１２】
しかも、上記基材層の撓み変形の抑制により衝撃吸収化粧材の下地に対する沈み込みをも防止され、その沈み込みによる違和感を解消することができる。
【００１３】
第３の発明は、第１又は第２の発明において、衝撃吸収層は、空隙部を有することを特徴とする。
【００１４】
この第３の発明では、衝撃吸収層に空隙部が設けられているので、この空隙部により衝撃吸収層の内部に衝撃による圧力を逃がす空間が形成される。そのため、空隙部がない場合と比較して衝撃吸収性能を高めることができるようになり、衝撃吸収層の厚さを増大させることなく、衝突時の加速度としてのＧ値が１００以下となるように衝撃吸収力を保つことができる。
【００１５】
第４の発明は、第１又は第２の発明において、衝撃吸収層は、空隙部を形成可能でかつ該空隙部の占有割合である空隙率が変更可能な衝撃吸収材からなることを特徴とする。
【００１６】
この第４の発明では、衝撃吸収層は空隙部を形成可能な衝撃吸収材からなり、その衝撃吸収材は空隙部の空隙率が変更可能であるので、衝撃吸収層を形成するための１つの衝撃吸収材を用い、その空隙率を変えることによって、衝撃吸収層の衝撃吸収性能を変えることができる。そのため、衝撃吸収性能の要求に応じて空隙率の異なる複数の衝撃吸収材を個別に用意せずとも済み、同じ種類の衝撃吸収材を用意してその空隙率を変化させるだけでよく、必要な衝撃吸収材を数種類として製造時の部品点数を低減することができる。
【００１７】
第５の発明は衝撃吸収材に係るものであり、この衝撃吸収材は、表裏面に沿って互いに直交するｘ方向及びｙ方向が設定された発泡材からなる板材に、該板材を表裏面間で貫通する複数の独立した第１及び第２スリットが形成され、これら第１及び第２スリットは、ｘ方向に延びる基部と、該基部の両端から傾斜して延びる１対の傾斜部とを有する亀甲括弧形状に形成されている。複数の第１スリットは、基部がｘ方向に沿って延びかつ隣接する１対の第１スリットの傾斜部の先端部間に間隔が空けられた状態でｘ方向に直列に並べられている一方、複数の第２スリットは、基部がｘ方向に沿って延びかつ隣接する１対の第２スリットの傾斜部の先端部間に間隔が空けられた状態でｘ方向に直列に並べられ、上記第１スリットと第２スリットとは、隣接する１対の第１スリットの傾斜部の先端部間に第２スリットの基部が位置するように互いに逆向きに配置されてｙ方向に交互に並んでおり、第１及び第２スリットの両傾斜部の先端部には、相対するスリットの基部に向かってｙ方向に延びかつ板材を表裏面間で貫通する第３スリットが傾斜部の先端部に連続して形成されている。そして、板材がｙ方向に引っ張られたときに、該板材において、ｙ方向に対向する第１及び第２スリットの基部の一部、傾斜部及び第３スリットで囲まれる部分がアーム部となり、かつ第３スリットと基部との間の部分が該アーム部両端の軸部となって、該アーム部が軸部回りに板材の表裏面に沿う方向に思案点を超えて回動することで、各スリットがｙ方向に開いて空隙部となるように構成されていることを特徴とする。
【００１８】
この第５の発明では、衝撃吸収材の板材がｙ方向に引っ張られず、或いは引っ張られても、その第１〜第３スリットにより区画形成される各アーム部に対し軸部回りに思案点を超えて回動する力が作用しないときには、各アーム部に思案点から離れようとする戻り力が働くので、この戻り力に付勢されて各アーム部は回動しない。この状態では、各スリットがｙ方向に開かず、空隙部は形成されない（その空隙率は０となる）。
【００１９】
これに対し、板材がｙ方向に引っ張られて、各アーム部に対し軸部回りに思案点を超えて回動する力が作用したときには、各アームが軸部回りに回動して思案点を超える。その後は各アーム部に思案点から離れようとする促進力が働き、この促進力は戻り力と逆向きであるので、この促進力に付勢されて各アーム部は大きく回動し、このことで、各スリットが促進力によってｙ方向に開いたままに保たれて空隙部が形成される。そして、このような空隙部を板材の必要な箇所に形成することで、衝撃吸収材の空隙部の空隙率が変更され、よって空隙率を容易に変更することができる。
【００２０】
第６の発明は、第４の発明において、衝撃吸収層は上記第５の発明の衝撃吸収材からなることを特徴とする。
【００２１】
この第６の発明では、空隙部を形成可能でかつ該空隙部の占有割合である空隙率が変更可能な衝撃吸収材が容易に得られる。
【００２２】
第７の発明は、第１〜第４及び第６の発明のいずれか１つにおいて、衝撃吸収層の裏面に裏打ち層が形成されていることを特徴とする。
【００２３】
この第７の発明では、衝撃吸収層の裏面に裏打ち層が形成されているので、衝撃吸収化粧材を下地に接着剤によって施工したときに、その接着剤が衝撃吸収層に進入するのを防止することができる。
【００２４】
第８の発明は床材に係るものであり、この床材は、第１〜第４、第６及び第７の発明のいずれか１つの衝撃吸収化粧材からなることを特徴とする。
【００２５】
第９の発明は壁材に係るものであり、この壁材は、第１〜第４、第６及び第７の発明のいずれか１つの衝撃吸収化粧材からなることを特徴とする。
【００２６】
この第８又は第９の発明では、人体が大きな衝撃力を受けるのを効果的に抑制できるとともに、下地に対する沈み込みによる違和感を解消できる床材又は壁材が容易に得られる。
【発明の効果】
【００２７】
以上説明したように、本発明によると、衝撃吸収化粧材として、撓み変形可能な可撓性を有する基材層の表面に表面仕上げ層を、また裏面に撓み抑制層をそれぞれ設け、撓み抑制層の裏面に衝撃吸収層を設けたことにより、衝撃吸収化粧材に対し表面仕上げ層から人の衝突によって大きな衝撃が加わって、基材層が撓むように変形したとしても、その変形が下地にまで達するようなことを撓み抑制層により抑制して、人体が大きな衝撃力を受けることを効果的に抑制することができるとともに、衝撃吸収化粧材の下地に対する沈み込みをも防止して違和感を解消することができる。
【図面の簡単な説明】
【００２８】
【図１】図１は、本発明の実施形態に係る衝撃吸収化粧材の断面図である。
【図２】図２は、衝撃吸収化粧材の基材層、撓み抑制層、衝撃吸収層及び裏打ち層を分解して示す斜視図である。
【図３】図３は、衝撃吸収化粧材における基材層を裏側から見た図である。
【図４】図４は、非展開状態の衝撃吸収材を示す平面図である。
【図５】図５は、展開状態の衝撃吸収材を示す平面図である。
【図６】図６は、衝撃吸収材の第１〜第３スリットを拡大して示す平面図である。
【図７】図７は、実施例の測定結果を示す図である。
【発明を実施するための形態】
【００２９】
以下、本発明の実施形態を図面に基づいて詳細に説明する。以下の実施形態の説明は、本質的に例示に過ぎず、本発明、その適用物或いはその用途を制限することを意図するものでは全くない。
【００３０】
図１及び図２は本発明の実施形態に係る衝撃吸収化粧材Ａを示し、この衝撃吸収化粧材Ａは、建物である例えばマンションや学校、幼稚園、老人ホーム、体育館等の床材として、床下地（図示せず）上に施工される。衝撃吸収化粧材Ａは例えば細長い板状であり、基材層１、表面仕上げ層７、撓み抑制層１０、衝撃吸収層１２及び裏打ち層２６を備え、これらが積層されて一体化されている。尚、図２では表面仕上げ層７を示していない。
【００３１】
（基材層）
上記基材層１は板状の化粧材Ａの骨格をなすものであり、例えば無垢材、合板、ＭＤＦ、ＬＶＬ、パーティクルボード等の木質板、これらの木質板の表面に薄いＭＤＦを積層接着した木質複合板、これらの木質板や木質複合板の表面に、例えばメラミン系樹脂、フェノール系樹脂、エポキシ系樹脂、ウレタン系樹脂、イソシアネート系樹脂等の樹脂層を設けて強化し、或いは樹脂を板材表層に含浸させて硬化させることで強化した木質基板、無機質繊維板や火山性ガラス質複層板等の無機質板、合成樹脂板等が挙げられる。基板層１は、単一材で構成されていてもよく、また、複数の板材の積層体で構成されていてもよい。また、基材層１には、熱処理や蒸気処理、その他樹脂注入処理等が施されていてもよい。
【００３２】
この基材層１の厚さは、例えば３〜２０ｍｍである。
【００３３】
基材層１の幅方向に対向する側面には雌実２又は雄実３が形成されている（長さ方向に対向する側面にも同様の雌実又は雄実が形成されていてもよい）。すなわち、基材１の幅方向に対向する側面の一方に雌実２が、また他方に雌実２に嵌合可能な雄実３がそれぞれ形成されている。上記雌実２は、基材層１の厚さ方向の中間部を凹溝状に切り欠くことで、基材層１の厚さ方向中間部に位置する凹部２ａを有する。一方、上記雄実３は、基材層１の厚さ方向の表裏両側部をそれぞれ断面矩形状に切り欠くことで、基材層１の厚さ方向中間部に位置する凸部３ａを有しており、雌実２の凹部２ａに、隣接する化粧材Ａ（基材層１）の雄実３の凸部３ａを嵌合することで、両化粧材Ａ，Ａが並べられて施工されるようになっている。
【００３４】
基材層１の裏面には、基材層１の幅方向に沿って互いに平行に延びる複数のスリット状の切欠き凹溝５，５，…が基材層１の長さ方向に等間隔を空けて形成されている。この各切欠き凹溝５は、基材層１の裏面を表面に向かって一定深さまで切り欠くことによって形成され、その底面は、上記雌実２の凹部２ａ及び雄実３の凸部３ａの厚さ方向中央部に位置しており、この切欠き凹溝５，５，…により、基材層１（化粧材Ａ）に表面側から衝撃が加わったときに、基材層１（化粧材Ａ）が長さ方向の中間部を下向きに湾曲させた下凸状に撓むようになっている。
【００３５】
（表面仕上げ層）
表面仕上げ層７は、上記基材層１の表面に設けられている。この表面仕上げ層７は、例えば化粧単板やＷＰＣ処理単板、化粧シート等が用いられ、それらの材料を基材層１の表面に積層一体化することによって設けられている。
【００３６】
（撓み抑制層）
撓み抑制層１０は、上記基材層１の裏面に設けられ、基材層１の過度の撓み変形を抑制するシート状又は薄パネル状のものである。撓み抑制層１０は、例えば紙、織布、不織布等が用いられ、それらの材料が基材層１の裏面に積層一体化されて形成される。この撓み抑制層１０の厚さは例えば０．０２〜０．５ｍｍ程度が好ましい。
【００３７】
（衝撃吸収層）
衝撃吸収層１２は、上記撓み抑制層１０の裏面に形成されて、化粧材Ａに表面から加わった衝撃荷重を吸収するもので、所定厚さの板形状を有する。この衝撃吸収層１２は、例えば合成樹発泡体、ゴム発泡体、インシュレーションボード、グラスウールマット、フェルト等が用いられる。この衝撃吸収層１２の厚さは例えば４〜８ｍｍ程度が好ましく、その硬度は例えばアスカーＣ型硬度１９〜３９程度が好ましい。
【００３８】
衝撃吸収層１２には多数の空隙部１４，１４，…が形成されている。これらの空隙部１４，１４，…は、衝撃吸収層１２を部分的に表裏面間に亘って貫通する貫通孔からなり、この空隙部１４，１４，…によって衝撃吸収層１２の内部に衝撃による圧力を逃がす空間を形成して、衝撃吸収性能を高めるようにしている。
【００３９】
衝撃吸収層１２は、上記空隙部１４，１４，…を形成可能でかつ該空隙部１４，１４，…の占有割合である空隙率が変更可能な衝撃吸収材１３からなるものとすることができる。
【００４０】
図４〜図６は上記空隙部１４，１４，…の空隙率が変更可能な衝撃吸収材１３を例示している。この衝撃吸収材１３は、例えばポリエチレンの発泡体からなる板材からなる。この板材において、表裏面に沿って互いに直交するｘ方向（例えば板材の幅方向）及びｙ方向（同長さ方向）が設定されていると仮定したとき、板材には、該板材を表裏面間で貫通する複数の独立した有限長さの第１スリット１６，１６，…及び第２スリット１７，１７，…が形成されている。
【００４１】
上記第１及び第２スリット１６，１７は、互いに向きが異なるだけでいずれも同じ形状であり、ｘ方向に延びる基部１８と、この基部１８の両端から傾斜して延びる１対の傾斜部１９，１９とを有する亀甲括弧形状、つまり「 〔 」の形状又は「 〕 」の形状に形成されている。
【００４２】
複数の第１スリット１６，１６，…は、各々の基部１８がｘ方向に沿って延びかつ隣接する１対の第１スリット１６，１６の傾斜部１９，１９の先端部間に間隔が空けられた状態でｘ方向に直列に並べられている。一方、複数の第２スリット１７，１７，…も同様に、各々の基部１８がｘ方向に沿って延びかつ隣接する１対の第２スリット１７，１７の傾斜部１９，１９の先端部間に間隔が空けられた状態でｘ方向に直列に並べられている。但し、これら第１スリット１６，１６，…と第２スリット１７，１７，…とは、隣接する１対の第１スリット１６，１６の傾斜部１９，１９の先端部間に第２スリット１７の基部１８が位置するように互いに逆向きに配置されてｙ方向に交互に並んでいる。
【００４３】
さらに、第１及び第２スリット１６，１７の両傾斜部１９，１９の先端部には、相対するスリット１７，１６の基部１８に向かってｙ方向に延びかつ板材を表裏面間で貫通する１対の第３スリット２０，２０がそれぞれ傾斜部１９，１９の先端部に連続して形成されている。
【００４４】
そして、図６に拡大して示すように、板材がｙ方向に引っ張られたときに、該板材において、ｙ方向に対向する第１及び第２スリット１６，１７の基部１８，１８の一部、傾斜部１９，１９及び第３スリット２０，２０で囲まれる部分がアーム部２２となり、かつ第３スリット２０，２０と基部１８との間の部分が該アーム部２２両端の軸部２３，２３となって、該アーム部２２が軸部２３，２３回りに板材の表裏面に沿う方向に思案点を超えて回動することで、各スリット１６，１７，２０がｙ方向に開いて空隙部１４，１４，…となるように構成されている。
【００４５】
この衝撃吸収材１３においては、板材がｙ方向に引っ張られないとき、或いは引っ張られても、その第１〜第３スリット１６，１７，２０により区画形成される各アーム部２２に対し軸部２３，２３回りに思案点を超えて回動する力が作用しないときには、各アーム部２２に思案点から離れようとする戻り力が働くので、この戻り力に付勢されて各アーム部２２は回動しない。この状態では、図４に示すように、各スリット１６，１７，２０がｙ方向に開かず、空隙部１４，１４，…は形成されず、その空隙率は０となる。
【００４６】
これに対し、板材がｙ方向に引っ張られて、各アーム部２２に対し軸部２３，２３回りに思案点を超えて回動する力が作用したときには、各アーム部２２が軸部２３，２３回りに回動して思案点を超える。その後は各アーム部２２に思案点から離れようとする促進力が働き、この促進力は戻り力と逆向きであるので、この促進力に付勢されて各アーム部２２は大きく回動する。このことで、図５に示すように、各スリット１６，１７，２０が促進力によりｙ方向に開いたままに保持されて空隙部１４，１４，…が形成される。
【００４７】
衝撃吸収層１２が、このような衝撃吸収材１３からなっていると、衝撃吸収材１３を撓み抑制層１０に一体化する前に、衝撃吸収材１３を用い、図５に示すように、その板材をｙ方向に引き延ばして展開することにより、空隙部１４，１４，…の空隙率を変更することができるようになる。図５に示す例では、衝撃吸収材１３の全体を引き延ばして展開したものであり、例えば５５％の空隙率になる。
【００４８】
また、衝撃吸収材１３の一部のみを引き延ばして部分的に展開させ、残りの他の部分に空隙部１４，１４，…を形成しないことにより、空隙率を部分的に変えるようにすることもできる。
【００４９】
こうして、空隙部１４，１４，…を板材の必要な箇所に形成することで、衝撃吸収材１３の空隙部１４，１４，…の空隙率が変更され、よって空隙率を容易に変更することができる。
【００５０】
（裏打ち層）
裏打ち層２６は上記衝撃吸収層１２の裏面に形成されている。この裏打ち層２６は、上記撓み抑制層１０と同様の材料を使用することができる。
【００５１】
したがって、上記実施形態においては、衝撃吸収化粧材Ａの基材層１と衝撃吸収層１２との間に撓み抑制層１０が設けられているので、衝撃吸収化粧材Ａに対し表面仕上げ層７から例えば人の転倒時の衝撃等の大きな衝撃が加わって、基材層１が裏面の切欠き凹溝５，５，…によって撓むように変形したとしても、その変形が過度になって下地にまで達する底打ちするようなことが撓み抑制層１０により抑制される。こうした衝撃の吸収緩和効果により、人体が大きな衝撃力を受けることを効果的に抑制することができる。
【００５２】
また、衝撃吸収層１２に空隙部１４，１４，…が設けられているので、この空隙部１４，１４，…により衝撃吸収層１２の内部に衝撃による圧力を逃がす空間が形成される。そのため、空隙部１４がない場合と比較して衝撃吸収性能を高めることができるようになる。例えば空隙率が約５０％であると、衝撃吸収性能が１５〜２０％向上し、衝撃吸収層１２の厚さを増大させることなく、衝突時の加速度としてのＧ値が１００以下となるように衝撃吸収力を保つことができる。
【００５３】
そして、衝撃吸収層１２は空隙部１４，１４，…を形成可能な衝撃吸収材１３からなり、衝撃吸収材１３はその空隙部１４，１４，…の空隙率が変更可能であるので、衝撃吸収層１２を形成するための同じ種類の衝撃吸収材１３を用い、その空隙率を変えることによって、衝撃吸収層１２の衝撃吸収性能を変えることができる。そのため、衝撃吸収性能の要求に応じて空隙率の異なる複数の衝撃吸収材を個別に用意せずとも済み、図４〜図６に示す例ではスリット１６，１７，２０の大きさを異ならせる等、数種類の衝撃吸収材１３を用意してその空隙率を変化させるだけでよく、衝撃吸収材１３を数種類として製造時の部品点数を低減することができる。
【００５４】
特に、上記第１〜第３スリット１６，１７，２０を有する衝撃吸収材１３を用いることにより、空隙部１４，１４，…を形成可能でかつ該空隙部１４，１４，…の占有割合である空隙率が変更可能な衝撃吸収材１３が容易に得られる。
【００５５】
しかも、上記基材層１の撓み変形の抑制により衝撃吸収化粧材Ａの下地に対する沈み込みをも防止され、その沈み込みによる違和感を解消することができる。
【００５６】
また、衝撃吸収層１２の裏面に裏打ち層２６が形成されているので、衝撃吸収化粧材Ａを床下地に接着剤による接着によって施工したときに、その接着剤が衝撃吸収層１２に進入するのを防止することができる。
【００５７】
（その他の実施形態）
尚、上記実施形態では、基材層１の裏面に切欠き凹溝５，５，…を形成することによって、基材層１に表面側から衝撃が加わったときに基材層１が撓むようにしているが、基材層１は撓み変形するものであれば切欠き凹溝５以外の手段を用いてもよく、例えば基材層１を金属や木質材料等で構成した上で、その裏面に複数の孔や格子の加工等を施すことにより、基材層１に弾性を持たせて撓み変形可能としてもよい。また、その他、基材層１自体の材料を可撓性を有する材料、例えば合成樹脂材料やゴム状材料等の弾性を有するものとすること等により撓み変形可能としてもよい。
【００５８】
また、上記実施形態では、衝撃吸収材１３（衝撃吸収層１２）における空隙部１４，１４，…の空隙率を変更可能としているが、本発明では、空隙部１４，１４，…の空隙率が一定の衝撃吸収材１３を用いて衝撃吸収層１２を形成することもできる。しかし、衝撃吸収層１２の衝撃吸収性能を変えることができる点では空隙部１４，１４，…の空隙率を変更可能とするのが好ましい。
【００５９】
また、衝撃吸収層１２は空隙部１４，１４，…がないものであってもよい。しかし、衝撃吸収層１２の厚さを増大させることなく、衝撃吸収性能を高めることができる点では、衝撃吸収層１２に空隙部１４，１４，…を設けることが好ましい。
【００６０】
さらに、裏打ち層２６は必須ではないが、接着剤の衝撃吸収層１２への進入を防止できる点では裏打ち層２６を設けるのがよい。
【００６１】
また、上記実施形態は、衝撃吸収化粧材Ａを床材に適用した場合であるが、同様の衝撃吸収化粧材Ａを壁材に適用することもできる。その場合においても、人体が壁にぶつかって大きな衝撃を受けることを効果的に抑制できるとともに、壁下地に対する沈み込みによる違和感を解消することができる。
【実施例】
【００６２】
次に、具体的に実施した実施例について説明する。上記実施形態の構造の衝撃吸収化粧材（図１〜図６参照）を床材とし、その表面仕上げ層はＷＰＣ処理単板、基材層として、表面（表面仕上げ層との間）に高硬度の樹脂強化層を有する厚さ１２ｍｍの合板、撓み抑制層及び裏打ち層は、重さ２４ｇのポリエチレンのスパンボンド不織布、衝撃吸収層（衝撃吸収材）は、１４倍の発泡倍率を有するポリエチレン発泡体を用いた。
【００６３】
そして、衝撃吸収層の厚さ、そのアスカーＣ型硬度、撓み抑制層の有無、その空隙部の有無、空隙部の形状を変更して例１〜例１０のサンプルを作製した。
【００６４】
これらのサンプルに対し、ＪＩＳ Ａ ６５１９（床の硬さ試験）に準拠した、転倒衝突時の床の硬さ測定装置を用いて最大加速度（Ｇ値）を測定し、併せて、歩行感として硬さ感及び沈み込み感を評価した。その結果を図７に示す。
【００６５】
この図７について考察する。例１〜例１０のいずれもＧ値が１００以下となり、衝撃吸収効果があることが判る。
【００６６】
そして、例１、例３及び例７を比較すると、衝撃吸収層の厚さが厚いほどＧ値が小さくなる一方、歩行感の硬度感が上がり沈み込み感が生じていることが判る。
【００６７】
また、例２と例３、例６と例７をそれぞれ比較すると、衝撃吸収層のアスカーＣ型硬度が大きくなって硬くなるほどＧ値が小さくなり、歩行感の硬度感及び沈み込み感も上がっていることが判る。
【００６８】
例４と例５、例８と例９をそれぞれ比較すると、衝撃吸収層に空隙部が形成されていれば、ない場合に比べてＧ値が小さくなり、歩行感の硬度感及び沈み込み感も上がっていることが判る。
【００６９】
例８及び例１０を比較すると、空隙部の形状が大きいほどＧ値がやや小さくなり、歩行感の硬度感及び沈み込み感も下がっていることが判る。
【００７０】
さらに、例３と例４、例７と例８をそれぞれ比較したとき、撓み抑制層があれば、ない場合に比べてＧ値が下がっており、歩行感の硬度感及び沈み込み感も上がっていることが判る。
【産業上の利用可能性】
【００７１】
本発明は、衝撃吸収化粧材を施工したときに、人体が衝突しても大きな衝撃力を受けることを効果的に抑制できるとともに、衝撃吸収化粧材の沈み込みも防止して違和感を解消できるので、極めて有用である。
【符号の説明】
【００７２】
Ａ  衝撃吸収化粧材
１  基材層
５  切欠き凹溝
７  表面仕上げ層
１０  撓み抑制層
１２  衝撃吸収層
１３  衝撃吸収材
１４  空隙部
１６  第１スリット
１７  第２スリット
１８  基部
１９  傾斜部１９，１９
２０  第３スリット
２２  アーム部
２３  軸部
２６  裏打ち層
【図１】
2016160590.tif 000003
【図２】
2016160590.tif 000004
【図３】
2016160590.tif 000005
【図４】
2016160590.tif 000006
【図５】
2016160590.tif 000007
【図６】
2016160590.tif 000008
【図７】
2016160590.tif 000009